(57)【特許請求の範囲】
【請求項１】
放送局から放送されてくる放送内容に登場する対象物に対応付けられた付加情報をも前記放送内容と同時に放送する放送を受信し、
視聴者が発声した音声を音声認識し、
その音声認識結果に基づいて前記視聴者が前記音声で指定した時点を決定し、その決定した時点までの所定の時間の間に記録された前記放送から前記対象物を選択することによって、前記対象物を特定するまたは絞り込み、
その特定したまたは絞り込んだ前記対象物に対応付けられた付加情報を表示する放送受信方法。
【請求項２】
前記付加情報は、前記対象物の特定または絞り込みを行うための情報をも含む、請求項１記載の放送受信方法。
【請求項３】
前記音声認識は、過去を示す語彙をも認識するものであり、
前記音声認識結果は、認識された前記過去を示す語彙を含み、
認識された前記過去を示す語彙と、その語彙に対応する前記放送の時間幅またはシーン数とが対応付けられている請求項２記載の放送受信方法。
【請求項４】
表示された前記付加情報に対する所定の操作が行われた場合、その所定の操作に対応する指示を所定の送信先に送信する請求項１〜３のいずれかに記載の放送受信方法。
【請求項５】
前記付加情報は商品販売情報及び／またはサービス販売情報であり、
前記所定の操作に対応する指示とは、前記商品及び／または前記サービスの資料請求または購入情報である請求項４記載の放送受信方法。
【請求項６】
放送する放送内容に登場する対象物に対応付けられた付加情報をも前記放送内容と同時に放送する第１装置と、
前記放送を受信する受信手段、及び視聴者が発声した音声を認識する音声認識手段、及びその音声認識結果に基づいて前記視聴者が前記音声を指定した時点を決定し、その決定した時点までの所定の時間の間に記録された前記放送から前記対象物を選択することによって、前記対象物を特定するまたは絞り込む特定絞り込み手段、及びその特定したまたは絞り込んだ前記対象物に対応付けられた前記付加情報を表示する表示手段を有する第２装置とを備えた放送システム。
【請求項７】
前記第２装置は、表示された前記付加情報に対する所定の操作が行われた場合、その所定の操作に対応する指示を所定の送信先に送信する送信手段を有する請求項６記載の放送システム。
【請求項８】
放送する放送内容に登場する対象物に対応付けられた付加情報をも前記放送内容と同時に放送する放送手段を備え、
前記放送を受信する受信手段、及び視聴者が発声した音声を認識する音声認識手段、及びその音声認識結果に基づいて前記視聴者が前記音声を指定した時点を決定し、その決定した時点までの所定の時間の間に記録された前記放送から前記対象物を選択することによって、前記対象物を特定するまたは絞り込む特定絞り込み手段、及びその特定したまたは絞り込んだ前記対象物に対応付けられた前記付加情報を表示する表示手段を有する第２装置によって前記放送は受信される第１装置。
【請求項９】
前記第２装置は、表示された前記付加情報に対する所定の操作が行われた場合、その所定の操作に対応する指示を所定の送信先に送信する送信手段を有する請求項８記載の第１装置。
【請求項１０】
放送する放送内容に登場する対象物に対応付けられた付加情報をも前記放送内容と同時に放送する第１装置から放送される前記放送を受信する受信手段と、
視聴者が発声した音声を認識する音声認識手段と、
その音声認識結果に基づいて前記視聴者が前記音声を指定した時点を決定し、その決定した時点までの所定の時間の間に記録された前記放送から前記対象物を選択することによって、前記対象物を特定するまたは絞り込む特定絞り込み手段と、
その特定したまたは絞り込んだ前記対象物に対応付けられた前記付加情報を表示する表示手段とを備えた第２装置。
【請求項１１】
前記付加情報は、前記対象物の特定または絞り込みを行うための情報をも含む、請求項１０記載の第２装置。
【請求項１２】
前記視聴者が前記音声を指定した時点までの所定の時間の間に放送された前記付加情報を記憶する付加情報記憶手段を備え、
前記特定絞り込み手段は、記憶されている前記付加情報に対応する対象物を対象にして前記対象物の特定または絞り込みを行う請求項１１記載の第２装置。
【請求項１３】
放送されてくる前記放送内容を所定の時間記録する放送内容記録手段を備え、
前記表示手段は、前記特定または絞り込んだ前記対象物に対応付けられた付加情報を表示する際、その決定した時点までの所定の時間の間に記録された前記放送内容をも表示する請求項１１記載の第２装置。
【請求項１４】
前記音声認識手段は、過去を示す語彙をも音声認識するものであり、
前記音声認識結果は、認識された前記過去を示す語彙を含み、
認識された前記過去を示す語彙と、その語彙に対応する前記放送の時間幅またはシーン数とが対応付けられている請求項１１記載の第２装置。
【請求項１５】
認識された前記過去を示す語彙と、その語彙に対応する前記放送の時間幅またはシーン数との対応付けをユーザの指示に基づいて学習する学習手段を備えた請求項１４記載の第２装置。
【請求項１６】
前記決定した時点までの所定の時間の間に記録された前記放送は、放送局によって記録されたものであり、
前記表示手段は、前記決定した時点を前記放送局に送信することによって前記放送局から前記決定した時点までの所定の時間の間に記録された前記放送を取得することによって前記表示を行う請求項１０記載の第２装置。
【請求項１７】
前記決定した時点までの所定の時間の間に記録された前記放送を記録する記録手段を備え、
前記表示手段は、前記決定した時点までの所定の時間の間に記録された前記放送を再生することによって前記表示を行う請求項１０記載の第２装置。
【請求項１８】
表示された前記付加情報に対する所定の操作が行われた場合、その所定の操作に対応する指示を所定の送信先に送信する送信手段を備えた請求項１０〜１７のいずれかに記載の第２装置。
【請求項１９】
前記所定の送信先とは、放送局である請求項１８記載の第２装置。
【請求項２０】
前記付加情報には所定の指示送信先が記載されており、
前記所定の送信先とは、前記所定の指示送信先である請求項１８に記載の第２装置。
【請求項２１】
前記付加情報は商品販売情報及び／またはサービス販売情報であり、  前記所定の操作に対応する指示とは、前記商品及び／または前記サービスの資料請求または購入情報であり請求項１８〜２０のいずれかに記載の第２装置。
【請求項２２】
請求項１０記載の第２装置の、放送する放送内容に登場する対象物に対応付けられた付加情報をも前記放送内容と同時に放送する第１装置から放送される前記放送を受信する受信手段と、
視聴者が発声した音声を認識する音声認識手段と、
その音声認識結果に基づいて前記視聴者が前記音声を指定した時点を決定し、その決定した時点までの所定の時間の間に記録された前記放送から前記対象物を選択することによって、前記対象物を特定するまたは絞り込む特定絞り込み手段と、
その特定したまたは絞り込んだ前記対象物に対応付けられた前記付加情報を表示する表示手段としてコンピュータを機能させるためのプログラム。
【請求項２３】
請求項１０記載の第２装置の、放送する放送内容に登場する対象物に対応付けられた付加情報をも前記放送内容と同時に放送する第１装置から放送される前記放送を受信する受信手段と、
視聴者が発声した音声を認識する音声認識手段と、
その音声認識結果に基づいて前記視聴者が前記音声を指定した時点を決定し、その決定した時点までの所定の時間の間に記録された前記放送から前記対象物を選択することによって、前記対象物を特定するまたは絞り込む特定絞り込み手段と、
その特定したまたは絞り込んだ前記対象物に対応付けられた前記付加情報を表示する表示手段としてコンピュータを機能させるためのプログラムを担持した記録媒体であって、コンピュータにより処理可能である記録媒体。
【発明の詳細な説明】
【０００１】
【発明の属する技術分野】
本発明は、放送局から放送されてくる放送を受信する放送受信方法、放送内容作成方法、放送システム、放送内容作成装置、発信機、第１装置、第２装置、媒体、及びプログラムに関するものである。
【０００２】
【従来の技術】
従来のテレビ放送で放送される番組やコマーシャルを視聴している際に、視聴者が番組やコマーシャルに登場した物や番組やコマーシャルで演奏された音楽等の対象物を入手したいと思うことがある。
【０００３】
このような場合視聴者は、まず、ＰＣ（パーソナルコンピュータ）をインターネットに接続し、インターネットでこれらの対象物に関する情報を検索し、目的とする対象物に関する情報を入手する。
【０００４】
そして、入手した情報に基づきこれらの対象物を販売する販売店に連絡するか来店して、これらの対象物を購入する。従来視聴者は、番組やコマーシャルに登場した対象物をこのような手順で購入していた。
【０００５】
一方、テレビ放送では、通常、番組やコマーシャルとして映像音声が放送されるが、番組やコマーシャルとして映像音声を放送するとともに、これらの番組やコマーシャルに登場する対象物に関連する付加情報をデータとして放送するデータ放送をも行う放送形態がある。
【０００６】
このような放送形態で放送を行う場合には、番組やコマーシャルに登場する対象物に予めデータとして放送する付加情報を対応付けておく必要がある。そして、番組やコマーシャルの映像音声を放送する際には、それらの映像音声と同期するように予め対象物と対応付けた付加情報をデータ放送として放送する必要がある。
【０００７】
従来、番組やコマーシャルに登場する対象物とデータ放送として放送する付加情報との対応付けは、番組やコマーシャルの映像音声を作成した後に番組やコマーシャルの製作者が、これらの映像音声の各シーンを確認しながら、各シーンに付加情報を対応付けていた。このように番組やコマーシャルに登場する対象物のデータ放送として放送する付加情報との対応付けは製作者が人手で行っていた。
【０００８】
【発明が解決しようとする課題】
しかしながら、視聴者が、放送された番組やコマーシャルに登場する対象物を入手するためには、放送の受信とは全く関係なくＰＣからインターネットに接続し、インターネットを介して目的とする対象物に関する情報をダウンロードしなければならず、さらに、ダウンロードした情報に基づき電話などで対象物を注文したりしなければならず不便である。
【０００９】
すなわち、従来の放送では放送された番組やコマーシャルに登場する対象物を簡単に入手することが出来ず手間がかかり不便であるという課題がある。
【００１０】
一方、テレビ放送では、通常、番組やコマーシャルとして映像音声が放送されるが、番組やコマーシャルとして映像音声を放送するとともに、これらの番組やコマーシャルに登場する対象物に関連する付加情報をデータとして放送するデータ放送をも行う放送形態で放送するためには、製作者は番組付加情報の対応付けに多大な労力を必要とし、十分な付加情報を提供することが困難である。
【００１１】
すなわち、番組やコマーシャルの映像音声を放送するとともにこれらの番組やコマーシャルに登場する対象物に関連する付加情報をデータ放送として放送する場合には、予め番組付加情報の対応付けを行う必要があり、この対応付けには多大な労力を必要とするので、十分な付加情報を提供することが困難であるという課題がある。
【００１２】
本発明は、上記課題を考慮し、放送された番組やコマーシャルに登場する対象物を手間がかからず簡単に入手することが出来る放送受信方法、放送システム、第１装置、第２装置、媒体、及びプログラムを提供することを目的とするものである。
【００１４】
【課題を解決するための手段】
上述した課題を解決するために、第１の本発明は、放送局から放送されてくる放送内容に登場する対象物に対応付けられた付加情報をも前記放送内容と同時に放送する放送を受信し、
視聴者が発声した音声を音声認識し、
その音声認識結果に基づいて前記視聴者が前記音声で指定した時点を決定し、その決定した時点までの所定の時間の間に記録された前記放送から前記対象物を選択することによって、前記対象物を特定するまたは絞り込み、
その特定したまたは絞り込んだ前記対象物に対応付けられた付加情報を表示する放送受信方法である。
【００１５】
また、第２の本発明は、前記付加情報は、前記対象物の特定または絞り込みを行うための情報をも含む、第１の本発明の放送受信方法である。
【００１６】
また、第３の本発明は、前記音声認識は、過去を示す語彙をも認識するものであり、
前記音声認識結果は、認識された前記過去を示す語彙を含み、
認識された前記過去を示す語彙と、その語彙に対応する前記放送の時間幅またはシーン数とが対応付けられている第２の本発明の放送受信方法である。
【００１７】
また、第４の本発明は、表示された前記付加情報に対する所定の操作が行われた場合、その所定の操作に対応する指示を所定の送信先に送信する第１から第３のいずれかの本発明の方法受信方法である。
【００１８】
また、第５の本発明は、前記付加情報は商品販売情報及び／またはサービス販売情報であり、
前記所定の操作に対応する指示とは、前記商品及び／または前記サービスの資料請求または購入情報である第４の本発明の放送受信方法である。
【００１９】
また、第６の本発明は、放送する放送内容に登場する対象物に対応付けられた付加情報をも前記放送内容と同時に放送する第１装置と、
前記放送を受信する受信手段、及び視聴者が発声した音声を認識する音声認識手段、及びその音声認識結果に基づいて前記視聴者が前記音声を指定した時点を決定し、その決定した時点までの所定の時間の間に記録された前記放送から前記対象物を選択することによって、前記対象物を特定するまたは絞り込む特定絞り込み手段、及びその特定したまたは絞り込んだ前記対象物に対応付けられた前記付加情報を表示する表示手段を有する第２装置とを備えた放送システムである。
【００２０】
また、第７の本発明は、前記第２装置は、表示された前記付加情報に対する所定の操作が行われた場合、その所定の操作に対応する指示を所定の送信先に送信する送信手段を有する第６の本発明の放送システムである。
【００２１】
また、第８の本発明は、放送する放送内容に登場する対象物に対応付けられた付加情報をも前記放送内容と同時に放送する放送手段を備え、
前記放送を受信する受信手段、及び視聴者が発声した音声を認識する音声認識手段、及びその音声認識結果に基づいて前記視聴者が前記音声を指定した時点を決定し、その決定した時点までの所定の時間の間に記録された前記放送から前記対象物を選択することによって、前記対象物を特定するまたは絞り込む特定絞り込み手段、及びその特定したまたは絞り込んだ前記対象物に対応付けられた前記付加情報を表示する表示手段を有する第２装置によって前記放送は受信される第１装置である。
【００２２】
また、第９の本発明は、前記第２装置は、表示された前記付加情報に対する所定の操作が行われた場合、その所定の操作に対応する指示を所定の送信先に送信する送信手段を有する第８の本発明の第１装置である。
【００２３】
また、第１０の本発明は、放送する放送内容に登場する対象物に対応付けられた付加情報をも前記放送内容と同時に放送する第１装置から放送される前記放送を受信する受信手段と、
視聴者が発声した音声を認識する音声認識手段と、
その音声認識結果に基づいて前記視聴者が前記音声を指定した時点を決定し、その決定した時点までの所定の時間の間に記録された前記放送から前記対象物を選択することによって、前記対象物を特定するまたは絞り込む特定絞り込み手段と、
その特定したまたは絞り込んだ前記対象物に対応付けられた前記付加情報を表示する表示手段とを備えた第２装置である。
【００２４】
また、第１１の本発明は、前記付加情報は、前記対象物の特定または絞り込みを行うための情報をも含む、第１０の本発明の第２装置である。
【００２５】
また、第１２の本発明は、前記視聴者が前記音声を指定した時点までの所定の時間の間に放送された前記付加情報を記憶する付加情報記憶手段を備え、
前記特定絞り込み手段は、記憶されている前記付加情報に対応する対象物を対象にして前記対象物の特定または絞り込みを行う第１１の本発明の第２装置である。
【００２６】
また、第１３の本発明は、放送されてくる前記放送内容を所定の時間記録する放送内容記録手段を備え、
前記表示手段は、前記特定または絞り込んだ前記対象物に対応付けられた付加情報を表示する際、その決定した時点までの所定の時間の間に記録された前記放送内容をも表示する第１１の本発明の第２装置である。
【００２７】
また、第１４の本発明は、前記音声認識手段は、過去を示す語彙をも音声認識するものであり、
前記音声認識結果は、認識された前記過去を示す語彙を含み、
認識された前記過去を示す語彙と、その語彙に対応する前記放送の時間幅またはシーン数とが対応付けられている第１１の本発明の第２装置である。
【００２８】
また、第１５の本発明は、認識された前記過去を示す語彙と、その語彙に対応する前記放送の時間幅またはシーン数との対応付けをユーザの指示に基づいて学習する学習手段を備えた第１４の本発明の第２装置である。
【００２９】
また、第１６の本発明は、前記決定した時点までの所定の時間の間に記録された前記放送は、放送局によって記録されたものであり、
前記表示手段は、前記決定した時点を前記放送局に送信することによって前記放送局から前記決定した時点までの所定の時間の間に記録された前記放送を取得することによって前記表示を行う第１０の本発明の第２装置である。
【００３０】
また、第１７の本発明は、前記決定した時点までの所定の時間の間に記録された前記放送を記録する記録手段を備え、
前記表示手段は、前記決定した時点までの所定の時間の間に記録された前記放送を再生することによって前記表示を行う第１０の本発明の第２装置である。
【００３１】
また、第１８の本発明は、表示された前記付加情報に対する所定の操作が行われた場合、その所定の操作に対応する指示を所定の送信先に送信する送信手段を備えた第１０〜第１７のいずれかの本発明の第２装置である。
【００３２】
また、第１９の本発明は、前記所定の送信先とは、放送局である第１８の本発明の第２装置である。
【００３３】
また、第２０の本発明は、前記付加情報には所定の指示送信先が記載されており、
前記所定の送信先とは、前記所定の指示送信先である第１８の本発明の第２装置である。
【００３４】
また、第２１の本発明は、前記付加情報は商品販売情報及び／またはサービス販売情報であり、  前記所定の操作に対応する指示とは、前記商品及び／または前記サービスの資料請求または購入情報であり第１８〜第２０のいずれかの本発明の第２装置である。
【００３５】
また、第２２の本発明は、第１０の本発明の第２装置の、放送する放送内容に登場する対象物に対応付けられた付加情報をも前記放送内容と同時に放送する第１装置から放送される前記放送を受信する受信手段と、
視聴者が発声した音声を認識する音声認識手段と、
その音声認識結果に基づいて前記視聴者が前記音声を指定した時点を決定し、その決定した時点までの所定の時間の間に記録された前記放送から前記対象物を選択することによって、前記対象物を特定するまたは絞り込む特定絞り込み手段と、
その特定したまたは絞り込んだ前記対象物に対応付けられた前記付加情報を表示する表示手段としてコンピュータを機能させるためのプログラムである。
【００３６】
また、第２３の本発明は、第１０の本発明の第２装置の、放送する放送内容に登場する対象物に対応付けられた付加情報をも前記放送内容と同時に放送する第１装置から放送される前記放送を受信する受信手段と、
視聴者が発声した音声を認識する音声認識手段と、
その音声認識結果に基づいて前記視聴者が前記音声を指定した時点を決定し、その決定した時点までの所定の時間の間に記録された前記放送から前記対象物を選択することによって、前記対象物を特定するまたは絞り込む特定絞り込み手段と、
その特定したまたは絞り込んだ前記対象物に対応付けられた前記付加情報を表示する表示手段としてコンピュータを機能させるためのプログラムを担持した記録媒体であって、コンピュータにより処理可能である記録媒体である。
【００４６】
例えば、本発明は、一例として番組付加情報より認識語彙を生成するあるいは認識語彙の重み付けを行い、視聴者が番組視聴中に対応する番組付加情報をもつ登場する物あるいは生物あるいは人物あるいは音楽を示す発声を行った場合この音声を認識し、音声により指定された前記番組に登場する物あるいは生物あるいは人物あるいは音楽および対応する番組付加情報を記憶し、視聴者が番組の視聴を終了した時点で音声によって指定された番組に登場した物あるいは生物あるいは人物あるいは音楽および対応する番組付加情報を表示し、視聴者が表示内容より1つ以上の物あるいは生物あるいは人物あるいは音楽およびそれに対応する番組付加情報を選択した場合に選択内容が放送局へ送信されることを特徴とする。
【００４７】
この構成によれば、従来のように視聴者が番組中に登場した物を記憶あるいは記録しておき、インターネット等で検索する場合と異なり、音声認識により番組中に登場した物を指定し、番組視聴後に音声で指定した物の付加情報を閲覧することで、本にしおりを挟むように、番組視聴を妨害せず、かつ放送受信機を利用して番組視聴と連続した手順により番組中に登場した物や音楽等を入手することができる。
【００４８】
本発明は、一例として番組付加情報より認識語彙を生成するあるいは認識語彙の重み付けを行い、視聴者が番組視聴中に対応する番組付加情報をもつ登場する物あるいは生物あるいは人物あるいは音楽を示す発声を行った場合この音声を認識し、音声により指定された前記番組に登場する物あるいは生物あるいは人物あるいは音楽および対応する番組付加情報を記憶し、視聴者が番組の視聴を終了した時点で音声によって指定された番組に登場した物あるいは生物あるいは人物あるいは音楽および対応する番組付加情報を表示し、視聴者が表示内容より1つ以上の物あるいは生物あるいは人物あるいは音楽およびそれに対応する番組付加情報を選択した場合に選択内容が番組付加情報に記載された送信先に送信されることを特徴とする。
【００４９】
この構成によれば、従来のように視聴者が番組中に登場した物を記憶あるいは記録しておき、インターネット等で検索する場合と異なり、音声認識により番組中に登場した物を指定し、番組視聴後に音声で指定した物の付加情報を閲覧することで、本にしおりを挟むように、番組視聴を妨害せず、かつ放送受信機を利用して番組視聴と連続した手順により番組中に登場した物や音楽等を入手することができる。
【００５０】
本発明は、一例として視聴者が番組視聴中に対応する番組付加情報をもつ登場する物あるいは生物あるいは人物あるいは音楽に対して注目したことを示す発声を認識し、発声があった時点および発声があった時点以前に登場した物あるいは生物あるいは人物あるいは音楽とそれに対応する番組付加情報を記憶し、視聴者が番組の視聴を終了した時点で記憶された物あるいは生物あるいは人物あるいは音楽とそれに対応する番組付加情報を表示し、視聴者が表示内容より1つ以上の物あるいは生物あるいは人物あるいは音楽およびそれに対応する番組付加情報を選択した場合に選択内容が放送局に送信されることを特徴とする。
【００５１】
この構成によれば、従来のように視聴者が番組中に登場した物を記憶あるいは記録しておき、インターネット等で検索する場合と異なり、音声認識により番組中で視聴者が興味を持った物が登場した時点を指定し、番組視聴後に音声で指定した時点およびその時点以前に登場した物とそれに対応する付加情報を閲覧することで、本にしおりを挟むように、番組視聴を妨害せず、かつ放送受信機を利用して番組視聴と連続した手順により番組中に登場した物や音楽等を入手することができる。
【００５２】
本発明は、一例として視聴者が番組視聴中に対応する番組付加情報をもつ登場する物あるいは生物あるいは人物あるいは音楽に対して注目したことを示す発声を認識し、発声があった時点および発声があった時点以前に登場した物あるいは生物あるいは人物あるいは音楽とそれに対応する番組付加情報を記憶し、視聴者が番組の視聴を終了した時点で記憶された物あるいは生物あるいは人物あるいは音楽とそれに対応する番組付加情報を表示し、視聴者が表示内容より1つ以上の物あるいは生物あるいは人物あるいは音楽およびそれに対応する番組付加情報を選択した場合に選択内容が付加情報に記載された送信先に送信されることを特徴とする。
【００５３】
この構成によれば、従来のように視聴者が番組中に登場した物を記憶あるいは記録しておき、インターネット等で検索する場合と異なり、音声認識により番組中で視聴者が興味を持った物が登場した時点を指定し、番組視聴後に音声で指定した時点およびその時点以前に登場した物とそれに対応する付加情報を閲覧することで、本にしおりを挟むように、番組視聴を妨害せず、かつ放送受信機を利用して番組視聴と連続した手順により番組中に登場した物や音楽等を入手することができる。
【００５４】
本発明は、一例として視聴者が番組視聴中に対応する番組付加情報をもつ登場する物あるいは生物あるいは人物あるいは音楽に対して注目したことを示す発声を認識し、発声があった時点を記憶し、視聴者が番組の視聴を終了した時点で、発声があった時点および発声があった時点から一定時間遡った時点から発声が合った時点までの映像及び音響情報を表示し、視聴者が表示内容より1つ以上の物あるいは生物あるいは人物あるいは音楽およびそれに対応する番組付加情報を選択した場合に選択したものに対応する付加情報を表示し、視聴者がその選択内容に対して行った入力を放送局に送信することを特徴とする。
【００５５】
この構成によれば、従来のように視聴者が番組中に登場した物を記憶あるいは記録しておき、インターネット等で検索する場合と異なり、音声認識により番組中で視聴者が興味を持った物が登場した時点を指定し、番組視聴後に音声で指定した時点およびその時点以前に登場した物とそれに対応する付加情報を閲覧することで、本にしおりを挟むように、番組視聴を妨害せず、かつ放送受信機を利用して番組視聴と連続した手順により番組中に登場した物や音楽等を入手することができる。
【００５６】
本発明は、一例として視聴者が番組視聴中に対応する番組付加情報をもつ登場する物あるいは生物あるいは人物あるいは音楽に対して注目したことを示す発声を認識し、発声があった時点を記憶し、視聴者が番組の視聴を終了した時点で、発声があった時点および発声があった時点から一定時間遡った時点から発声が合った時点までの映像及び音響情報を表示し、視聴者が表示内容より1つ以上の物あるいは生物あるいは人物あるいは音楽およびそれに対応する番組付加情報を選択した場合に選択したものに対応する付加情報を表示し、視聴者がその選択内容に対して行った入力を付加情報に記載された送信先に送信することを特徴とする。
【００５７】
この構成によれば、従来のように視聴者が番組中に登場した物を記憶あるいは記録しておき、インターネット等で検索する場合と異なり、音声認識により番組中で視聴者が興味を持った物が登場した時点を指定し、番組視聴後に音声で指定した時点およびその時点以前に登場した物とそれに対応する付加情報を閲覧することで、本にしおりを挟むように、番組視聴を妨害せず、かつ放送受信機を利用して番組視聴と連続した手順により番組中に登場した物や音楽等を入手することができる。
【００５８】
本発明は、一例として番組作成時に付加情報を付与すべき物に取り付ける付加情報を発信する発信機と、付加情報を受信する受信機と、受信した付加情報に対応する物が映像あるいは音として番組中に記録されていることを確認する付加情報対照部と、付加情報対照部で確認された付加情報を映像および音響信号と同期して記録することを特徴とする。
【００５９】
この構成によれば、従来のように番組製作者が番組の各シーンを確認して付加情報を対応させる場合と異なり、発信機からの付加情報により番組の各シーンに対応させるべき付加情報を自動的に取得でき画像あるいは音響信号との照合のみで番組に付加情報を付与することができる。
【００６０】
本発明は、一例として番組作成時に付加情報を付与すべき物に取り付ける付加情報のコード番号を発信する発信機と、コード番号を受信する受信機と、受信したコード番号に対応する物が映像あるいは音として番組中に記録されていることを確認する付加情報対照部と、付加情報対照部で確認された付加情報を映像および音響信号と同期して記録することを特徴とする。
【００６１】
この構成によれば、従来のように番組製作者が番組の各シーンを確認して付加情報を対応させる場合と異なり、発信機からの付加情報のコード番号により番組の各シーンに対応させるべき付加情報を自動的に取得でき画像あるいは音響信号との照合のみで番組に付加情報を付与することができる。
【００６２】
【発明の実施の形態】
以下に、本発明の実施の形態を図面を参照して説明する。
【００６３】
（実施の形態１）
まず、本発明の実施の形態１における双方向放送による買い物支援システムについて説明する。
【００６４】
図１に、本発明の実施の形態１における双方向放送による買い物支援サービスの概念構成を示すブロック図を示す。また、図２に、本発明の実施の形態１における双方向放送による買い物支援システム（以下買い物支援システムと略す）の動作を示す流れ図を示す。また、図３に、図１の部分の詳細を示す機能ブロック図を示す。
【００６５】
図１において、本実施の形態の買い物支援システムは、放送局１０、販売業者２０、及び家庭３０から構成されており、家庭３０には、ＴＶ／ＳＴＢ３１０、及びリモートコントローラ３２０が設置されている。
【００６６】
放送局１０は、番組を番組付加情報とともに放送する放送局である。販売業者２０は番組中に登場する物を商品として取り扱う販売業者である。家庭３０は放送を受信する家庭である。
【００６７】
ＴＶ／ＳＴＢ３１０は、双方向放送受信機であるテレビあるいはＳＴＢ(Set Top Box)としての双方向放送受信機である。
【００６８】
リモートコントローラ３２０は、ＴＶ／ＳＴＢ３１０を操作するための手段であり、マイクロホン３２１を備える。
【００６９】
ＴＶ／ＳＴＢ３１０は、認識語彙記憶部３１１と音声認識部３１２などを備える。すなわち、図３に示すように、ＴＶ／ＳＴＢ３１０は、放送受信部３１３、認識語彙生成部３１４、認識語彙記憶部３１１、音声認識部３１２、時間表現辞書３１６、記憶時間制御部３１５、付加情報記憶部３１７、表示部３１８、送信部３１９から構成される。
【００７０】
放送受信部３１３は放送電波を受信する手段である。認識語彙生成部３１４は放送受信部３１３で受信した番組付加情報から音声認識の対象語彙を生成する手段である。認識語彙記憶部３１１は、生成された認識語彙を記憶する手段である。時間表現辞書３１６は「さっきの」、「今の」といった時間に関する表現を認識語彙として保持する辞書である。音声認識部３１２は認識語彙記憶部３１１と時間表現辞書３１６とを認識語彙辞書として使用して音声認識を行う手段である。記憶時間制御部３１５は認識された時間表現語彙と視聴者の情報選択入力との関係からおのおのの時間表現語彙と実際の時間幅あるいはシーン数との関係を学習し、音声認識部３１２および認識語彙記憶部３１１の制御を行う手段である。付加情報記憶部３１７は音声認識によって指定された番組中の物等に対応する付加情報を記憶する手段である。表示部３１８は付加情報を表示する手段である。送信部３１９は付加情報の選択等の視聴者の入力結果を放送局へ送信する手段である。
【００７１】
次に、このような本実施の形態の動作を説明する。
【００７２】
図２に、買い物支援システム及びサービスの動作を示す。以下図２に基づいて説明する。
【００７３】
まず視聴者は番組視聴中に番組に登場する物等に注目し、特定のものに注目していることを伝える言葉を発声する。そうすると、マイクロホン３２１は、その発声を入力し、音声認識部３１２に出力する。
【００７４】
音声認識部３１２は、マイクロホン３２１から入力された発声信号に対して音声認識を行う。そしてその音声認識結果に基づいて音声認識部３１２は、視聴者が注目した物等を判断し、対応する番組付加情報を特定して、付加情報記憶部３１７へ蓄積する（ステップ３３１）。
【００７５】
ドラマを視聴している場合を例に取って具体的に説明すると、例えばドラマの視聴中に登場人物が着用していた洋服に視聴者の注意が向いたが、その洋服を来ていた登場人物は画面から退場してしまったような場合、視聴者は「さっきの赤いジャケットいいな。」などと発声する。
【００７６】
視聴者が発声した音声はマイクロホン３２１より入力され、音声認識部３１２は時間表現辞書３１６と認識語彙記憶部３１１を参照して入力された音声を認識し、放送された番組付加情報より該当する付加情報を抽出する。
【００７７】
認識語彙記憶部３１１に記憶されている認識語彙は、認識語彙生成部３１４で、受信した番組付加情報より付加情報のついた物や音楽等をあらわす語彙を逐次生成したものである。すなわち、番組付加情報は、番組付加情報が放送局で対応付けられた物や音楽を特定するためのキーワード情報をも含んでおり、認識語彙生成部３１４はこのキーワード情報から認識語彙を生成する。そして、音声認識部３１２は、「さっきの赤いジャケットいいな。」などの視聴者の発声音声を音声認識することによって視聴者の発声音声から認識語彙を抽出する。例えば「さっきの赤いジャケットいいな。」という発声音声の場合には、「赤い」、「ジャケット」という認識語彙が抽出される。そして抽出した認識語彙に対応するキーワード情報の個数が最も多い番組付加情報を選択し、選択した番組付加情報を付加情報記憶部３１７に記憶させる。すなわち、ある番組付加情報が「赤い」という認識語彙に対応するキーワード情報と、「ジャケット」という認識語彙に対応するキーワード情報とを共に含んでいる場合にはその番組付加情報を付加情報記憶部３１７に記憶させる。このように音声認識部３１２は、番組付加情報を選択することによって特定することが出来る。
【００７８】
なお、音声認識部３１２は、視聴者の発声音声から抽出した認識語彙に対応するキーワード情報の個数が最も多い番組付加情報を選択するとして説明したが、これに限らない。音声認識部３１２は、視聴者の発声音声から抽出した認識語彙に対応するキーワード情報の個数が最も多い順に例えば５個の番組付加情報を選択して、選択した番組付加情報を付加情報記憶部３１７に記憶しても構わない。このように音声認識部３１２は、番組付加情報を特定するのではなく絞り込んでも構わない。
【００７９】
記憶時間制御部３１５はあらかじめ定められた時間範囲あるいはシーン数、または視聴者のこれまでの発声とその後の入力より学習された時間表現に対応するもっとも大きい時間幅あるいはシーン数の間、生成された認識語彙が保持されるよう制御する。なお、記憶時間制御部３１５の学習については後述する。例えば「さっきの赤いジャケットいいな。」という発声音声の場合には、記憶時間制御部３１５の制御に従って、音声認識部３１２は、「さっき」という過去を示す時間表現語彙を抽出し、時間表現辞書３１６を参照して「さっき」に対応する時間範囲あるいはシーン数の間に放送された番組付加情報を対象にして上記の特定または絞り込みを行う。
【００８０】
ドラマが終了した後（ステップ３３２）、表示部３１８は、音声認識により指定されたドラマに登場した物等に対応する付加情報を表示する（ステップ３３３）。
【００８１】
付加情報には大きさ、重さ、材質、色違い、サイズ違い、価格、製造者、販売者、販売者連絡先等の情報が含まれており、視聴者はこれらの情報を確認して検討し、購入する場合にはリモートコントローラ３２０あるいはポインティングデバイス、あるいは音声認識等の入力手段により付加情報を選択し購入情報を入力する。
【００８２】
送信部３１９は、購入情報を対応する付加情報の識別番号等とあわせて放送局へ送信する（ステップ３３４）。
【００８３】
さて、前述したように記憶時間制御部３１５は認識された時間表現語彙と視聴者の情報選択入力との関係からおのおのの時間表現語彙と実際の時間幅あるいはシーン数との関係を学習することについて具体的に説明する。記憶時間制御部３１５は、時間表現辞書３１６に格納されている時間に関する表現である認識語彙毎に実際の時間幅またはシーン数を対応付けるための情報を保持している。例えば、記憶時間制御部３１５は、例えば「さっき」という認識語彙については、現在時刻を基準にして２０秒前から５分前までの時間幅を対応つけ、また、「今」については、現在時刻を基準にして現在から３０秒前までの時間幅を対応付ける。
【００８４】
従って上述したように、記憶時間制御部３１５「さっき」という時間表現を表す認識語彙を音声認識部３１２から受け取った場合には、現在時刻を基準にして２０秒前から５分前までの時間幅の間に受け取った番組付加情報に対して特定及び絞り込みを行うよう制御し、この制御に従って音声認識部３１２は、現在時刻を基準にして２０秒前から５分前までの時間幅の間に受け取った番組付加情報に対して特定及び絞り込みを行い、その特定または絞り込みされた番組付加情報を付加情報記憶部３１７に記憶させる。すなわち、記憶時間制御部３１５は、この時間幅の間に生成された認識語彙が保持されるように制御する。
【００８５】
ところが、記憶時間制御部３１５が「さっき」という時間表現を表す認識語彙を受け取った場合に、上述したように現在時刻を基準にして２０秒前から５分前までの時間幅を対応付けた場合に、視聴者が表示部３１８で表示された番組付加情報が視聴者の意図していた時間幅と異なる番組付加情報が表示されることが起こり得る。このような場合、視聴者はマイクロホン３２１に向かって「やり直して」「もっと前の情報を表示してほしいな」「もっと後の情報を表示してほしいな」などと発声する。
【００８６】
そうすると、音声認識部３１２は、その視聴者からの発声を音声認識し、音声認識結果を記憶時間制御部３１５に通知する。音声認識部３１２が「もっと前の情報を表示してほしいな」という発声を音声認識した場合には、「もっと前」、「情報」、「表示」を認識語彙として抽出し、記憶時間制御部３１５に通知する。
【００８７】
記憶時間制御部３１５は、音声認識部３１２から「もっと前」、「情報」、「表示」という認識語彙を受け取ると、「さっき」という時間表現を表す認識語彙に対応付けられた時間幅の情報を修正する。すなわち、「さっき」という認識語彙に現在時刻を基準にして４０秒前から５分４０秒前までの時間幅を対応付けるように修正する。そして、記憶時間制御部３１５は、音声認識部３１２に現在時刻を基準にして４０秒前から５分４０秒前までの間に受け取った番組付加情報を対象として再度番組付加情報の特定または絞り込みを行うよう音声認識部３１２を制御する。音声認識部３１２は、記憶時間制御部３１５の制御に従って、再度番組付加情報の特定または絞り込みを行い、特定または絞り込んだ番組付加情報を付加情報記憶部３１７に記憶させ、表示部３１８は、付加情報記憶部３１７に記憶された番組付加情報を表示する。そして、視聴者は、表示された番組付加情報に目的とするものが含まれている場合にはその番組付加情報を選択して購入情報を入力する。
【００８８】
このような処理を多数繰り返すことによって、記憶時間制御部３１５は、時間表現を表す認識語彙に視聴者の意図を反映したり時間幅を対応付けることが出来るようになる。これが記憶時間制御部３１５が学習するということである。
【００８９】
以上のように、本実施の形態の買い物支援システムおよびサービスによれば、視聴者が興味を持った、番組中に登場した物や音楽等について、番組そのものの視聴を、メモをとる等の作業で妨げることなく、自然な発声を行うだけで、番組の視聴と連続的に、情報を取得し、購入することが可能になる。
【００９０】
なお本実施の形態では購入情報は対応する付加情報の識別番号等とあわせて送信部３１９から放送局へ送信されるとしたが、付加情報に含まれる販売元へ送信されるとしても良い。
【００９１】
なお本実施の形態では音声認識部３１２は認識結果より対応する付加情報を特定するとしたが、番組内でのタイムスタンプのみを確定し、付加情報記憶部３１７はそのタイムスタンプおよびそれ以前の付加情報を記憶するものとしても良い。すなわち、音声認識部３１２は、視聴者が音声を発声した時刻のみを確定し、付加情報記憶部３１７は、その時刻に対応する付加情報やその時刻までの所定の時間の間に放送された付加情報を記憶することもできる。
【００９２】
なお本実施の形態では付加情報記憶部３１７は選択された付加情報のみを記憶するとしたが、番組の全付加情報を記憶し、音声認識部により選択された付加情報のみを表示するとしても良い。
【００９３】
なお本実施の形態では付加情報を記憶し番組終了後表示するとしたが、付加情報と収録しておいた番組あるいは放送局へ要求信号を送り再度受信した対応シーンを表示するとしても良い。
【００９４】
なお本実施の形態では付加情報を記憶し番組終了後表示するとしたが、付加情報の識別コードのみを記憶し、付加情報は放送局へ要求信号を送り再度受信して表示するとしても良い。
【００９５】
なお、本実施の形態の放送局は本発明の第１装置の例であり、本実施の形態のＴＶ／ＳＴＢ３１０は本発明の第２装置の例であり、本実施の形態の放送受信部３１４は本発明の受信手段の例であり、本実施の形態の音声認識部３１２、認識語彙生成部３１４、認識語彙記憶部３１１、時間表現辞書３１６、記憶時間制御部３１５は本発明の音声認識手段の例であり、本実施の形態の音声認識部３１２、認識語彙生成部３１４、認識語彙記憶部３１１、時間表現辞書３１６、記憶時間制御部３１５は本発明の特定絞り込み手段の例であり、本実施の形態の表示部３１８は本発明の表示手段の例であり、本実施の形態の送信部３１９は本発明の送信手段の例であり、本実施の形態のキーワード情報は本発明の前記対象物の特定または絞り込みを行うための情報の例である。
【００９６】
（実施の形態２）
図４は、本発明に関連する発明の実施の形態２における買い物支援システムのうち、買い物のための番組付加情報を番組作成と同時に自動作成する部分を示す機能ブロック図である。図５に本発明に関連する発明の実施の形態２における買い物支援システムのうち番組付加情報を番組作成と同時に自動作成する動作を示す流れ図を示す。
【００９７】
図４において番組記録装置１０１０及び付加情報コード発信機１０２０が示されている。
【００９８】
付加情報コード発信機１０２０は、番組付加情報のコード番号を電波あるいは赤外線により発信する発信機である。
【００９９】
番組記録装置１０１０は、マイクロホン１０１１、カメラ１０１２、受信部１０１３、付加情報照合用データベース１０１４、情報照合部１０１７、番組付加情報データベース１０１５、及び番組記憶部１０１６を備える。
【０１００】
受信部１０１３は、付加情報コード発信機１０２０の信号を受信する手段である。付加情報照合用データベース１０１４は、番組付加情報のコード番号と番組付加情報の照合情報とが記録されているデータベースである。情報照合部１０１７は、付加情報照合用データベース１０１４の内容から、カメラおよびマイクロホンから入力した画像および音響信号中に受信部１０１３で受信した付加情報コードに対応する物あるいは生物あるいは人物が記録されているか否かを判断する手段である。番組付加情報データベース１０１５は、番組に記録する付加情報を記憶したデータベースである。番組記憶部１０１６は、画像および音響信号および番組付加情報を同期して記録する手段である。
【０１０１】
次に、このような本実施の形態の動作を説明する。
【０１０２】
以下、図５を参照して説明する。なお、図５の流れ図に従う動作を行った場合には、物、生物、あるいは人物などの多数の対象物のうち、その対象物が映像中に捉えられている場合のみにその対象物の番組付加情報を放送する放送内容を自動的に作成することが出来るようになる。
【０１０３】
まず、図５の流れ図に基づいて、動作の概要を説明する。
【０１０４】
まず、撮影に先立って付加情報コード発信機１０２０を対応する付加情報がある物、生物、あるいは人物に取り付ける(ステップ１０３１)。
【０１０５】
撮影はカメラ１０１２とマイクロホン１０１１より、画像と音響信号を入力すると同時に受信部１０１３より付加情報コード発信機が発信した信号を受信する(ステップ１０３２)。
【０１０６】
次に、情報照合部１０１７において発信機の信号の有無および受信した信号に付加情報コードが含まれているか否かを判断する(ステップ１０３３)。ステップ１０３３において発信機の信号が無いあるいは受信信号に付加情報コードが含まれていなかった場合は、カメラ１０１２およびマイクロホン１０１１より入力された画像と音響信号のみを記録する(ステップ１０４０)。
【０１０７】
一方、ステップ１０３３において受信内容に付加情報コードがあった場合は、付加情報照合用データベース１０１４より付加情報コードに対応した照合情報を抽出し（ステップ１０３４）、情報照合部１０１７はカメラ１０１２およびマイクロホン１０１１より入力された画像および音響信号中に照合情報に該当するものがあるかどうかを判断する(ステップ１０３５)。
【０１０８】
ステップ１０３５で入力された画像および音響信号中に照合情報に該当するものが無いと判断された場合はカメラ１０１２およびマイクロホン１０１１より入力された画像と音響信号のみを記録する(ステップ１０４０)。
【０１０９】
ステップ１０３５で入力された画像および音響信号中に照合情報に該当するものがあると判断された場合は番組付加情報データベース１０１５より該当する番組付加情報を抽出し、画像および音響信号に同期して記録する(ステップ１０３６)。
【０１１０】
図６に、番組やコマーシャルなどの放送内容を製作している撮影現場を示す。撮影現場にはカメラ１０１２が設置されており、カメラ１０１２は設置場所を移動することが出来る。例えばカメラ１０１２は、カメラ１０１２ａの位置からカメラ１０１２ｂの位置まで自由に移動することが出来る。
【０１１１】
また、撮影現場にはそれぞれ異なった固定位置に位置固定発信機１０３０ａ、１０３０ｂ、１０３０ｃが設置されている。これらの位置固定発信機１０３０ａ、１０３０ｂ、１０３０ｃは、３次元の固定座標を作る。なお、図６では固定位置に３台の位置固定発信機１０３０ａ、１０３０ｂ、１０３０ｃが設置されているとして説明したが、これに限らず、３台以上の位置固定発信機を固定位置に設置しても構わない。
【０１１２】
カメラ１０１２は、移動や姿勢変更をすることが出来るが、位置固定発信機１０３０ａ、１０３０ｂ、１０３０ｃそれぞれからの信号を受信することにより、カメラ１０１２自身の座標上の位置及び姿勢の情報を計算することが出来る。
【０１１３】
一方、付加情報コード発信機１０２０は、位置固定発信機１０３０ａ、１０３０ｂ、１０３０ｃからの信号を受信することにより、自分の座標上の位置を計算する。そして、付加情報コード発信機１０２０は、自分の座標上の位置を発信する。
【０１１４】
また、カメラ１０１２は、カメラ１０１２自身の座標上の位置と姿勢、付加情報コード発信機１０２０の座標上の位置、カメラ１０１２の内部情報としての焦点距離と視野角より、付加情報コード発信機１０２０がそのカメラ１０１２の撮影範囲内に存在するか否かを判断する。
【０１１５】
そして、カメラ１０１２は、付加情報コード発信機１０２０がカメラ１０１２の撮影範囲内の存在すると判断した場合には、その付加情報コード発信機１０２０から送られてきた付加情報コードを情報照会部１０１７に出力する。また、カメラ１０１２は、付加情報コード発信機１０２０がカメラ１０１２の撮影範囲内には存在しないと判断した場合には、その付加情報コード発信機１０２０から送られてきた付加情報コードを情報照会部１０１７には出力しない。このようにすすることにより情報照会部１０１７は、付加情報コード１０２０が送られてきた場合にはその付加情報コード１０２０に対応する番組付加情報を映像音声と同期させて記録することにより対象物が映像中に捉えられている場合のみにその対象物に対応つけられた番組付加情報を放送する放送内容を自動的に作成することが出来る。
【０１１６】
以上のように本実施の形態における番組付加情報を番組作成と同時に自動作成システムによれば、番組作成後に製作者が全シーンを確認して番組付加情報を番組に付加、記録していく作業が不要となり、番組作成の作業時間の短縮および作業コストの削減が可能となる。
【０１１７】
なお、本実施の形態では、付加情報コード発信機１０２０は付加情報のコード番号を発信したが、付加情報照合用データを発信し、情報照合部１０１６は付加情報照合用データベースを利用せず、受信したデータに基づいて画像および音響信号との照合を行うとしても良い。
【０１１８】
なお、本実施の形態では、情報照合部１０１７は番組付加情報データベースよりコード番号に対応する番組付加情報を抽出して画像および音響信号と同期させて記録するとしたが、番組と付加情報とをリンクするタグ情報を記録するとしても良い。
【０１１９】
なお、本実施の形態の付加情報コード発信機１０２０は本発明に関連する発明の発信機の例であり、本実施の形態の受信部１０１３は本発明に関連する発明の受信手段の例であり、本実施の形態の情報照合部１０１７、番組記憶部１０１６は本発明に関連する発明の記録手段の例である。
【０１２０】
なお、本発明は、上述した本発明の放送システム、または放送内容作成装置、または発信機、または第１装置、または第２装置の全部または一部の手段（または、装置、素子、回路、部等）の機能をコンピュータにより実行させるためのプログラムであって、コンピュータと協働して動作するプログラムである。
【０１２２】
なお、本発明の一部の手段（または、装置、素子、回路、部等）とは、それらの複数の手段の内の、幾つかの手段を意味し、あるいは、一つの手段の内の、一部の機能を意味するものである。
【０１２３】
また、本発明の一部の装置（または、素子、回路、部等）とは、それらの複数の装置の内の、幾つかの装置を意味し、あるいは、一つの装置の内の、一部の手段（または、素子、回路、部等）を意味し、あるいは、一つの手段の内の、一部の機能を意味するものである。
【０１２４】
また、本発明のプログラムを記録した、コンピュータに読みとり可能な記録媒体も本発明に含まれる。
【０１２５】
また、本発明のプログラムの一利用形態は、コンピュータにより読み取り可能な記録媒体に記録され、コンピュータと協働して動作する態様であっても良い。
【０１２６】
また、本発明のプログラムの一利用形態は、伝送媒体中を伝送し、コンピュータにより読みとられ、コンピュータと協働して動作する態様であっても良い。
【０１２８】
また、記録媒体としては、ＲＯＭ等が含まれ、伝送媒体としては、インターネット等の伝送媒体、光・電波・音波等が含まれる。
【０１２９】
また、上述した本発明のコンピュータは、ＣＰＵ等の純然たるハードウェアに限らず、ファームウェアや、ＯＳ、更に周辺機器を含むものであっても良い。
【０１３０】
なお、以上説明した様に、本発明の構成は、ソフトウェア的に実現しても良いし、ハードウェア的に実現しても良い。
【０１３１】
【発明の効果】
以上説明したところから明らかなように、本発明は、放送された番組やコマーシャルに登場する対象物を手間がかからず簡単に入手することが出来る放送受信方法、放送システム、第１装置、第２装置、媒体、及びプログラムを提供することが出来る。
【図面の簡単な説明】
【図１】本発明の実施の形態１における双方向放送による買い物支援サービスの構成を示すブロック図である。
【図２】  本発明の実施の形態１における双方向放送による買い物支援システムの動作を示す流れ図である。
【図３】本発明の実施の形態１における双方向放送による買い物支援サービスの部分の構成を示すブロック図である。
【図４】本発明に関連する発明の実施の形態２における番組付加情報自動作成装置の構成を示すブロック図である。
【図５】本発明に関連する発明の実施の形態２における番組付加情報自動作成装置の動作を示す流れ図である。
【図６】本発明に関連する発明の実施の形態２におけるカメラ、位置固定発信機、付加情報コード発信機の関係を示す図である。
【符号の説明】
１０  放送局
２０  販売業者
３０  家庭
３１０  双方向放送受信機
３１１  認識語彙記憶部
３１２  音声認識部
３１３  放送受信部
３１４  認識語彙生成部
３１５  記憶時間制御部
３１６  時間表現辞書
３１７  付加情報記憶部
３１８  表示部
３１９  送信部
３２０  リモートコントローラ
３２１  マイクロホン
１０１０  番組記録装置
１０２０  付加情報コード発信機
１０１１  マイクロホン
１０１２  カメラ
１０１３  受信部
１０１４  付加情報照合用データベース
１０１５  情報照合部
１０１６  番組付加情報データベース
１０１７  番組記憶部
【図１】
0003762926.tif 000002
【図２】
0003762926.tif 000003
【図３】
0003762926.tif 000004
【図４】
0003762926.tif 000005
【図５】
0003762926.tif 000006
【図６】
0003762926.tif 000007